(57)【要約】【課題】小型古紙再生装置内で製造された再生紙を、液体噴出手段、空気を送り込む手段を用いることなく、たるみや破談の発生がなく、定量的にロール状に巻き取り、且つ、排出可能に設け、且つ、搬入・搬出等の作業性や、メンテナンス性、安全性、経済性に優れた再生紙巻き取り装置を開発・提供することにある。【解決手段】  古紙を原料とし、この古紙から再生紙を製造し、これらからロール状に巻き取って再生ロール紙を製造する小型古紙再生装置であって、金属製ベルトに貼着された抄紙を該ベルトから剥離し、剥離された抄紙，即ち、再生紙（Ｘ）を再生紙としてロール状に巻き取る装置において、ケース（Ｃ）に取り付けられた抄紙用金属製ベルト（Ｙ）から剥離された再生紙を、ロール状に巻き取る再生紙の工程中において、テンション調整アーム（７）とシャフト巻取りアクチュエータ（11）とを設け、該再生紙に付与される張力に対して自動感知させるようにした。【選択図】  図１
2014227252.tif 000002
【特許請求の範囲】
【請求項１】
古紙を原料とし、この古紙から再生紙を製造し、これらからロール状に巻き取ってロール状に巻かれた再生紙を製造する小型古紙再生装置であって、
再生紙（Ｘ）に付与する張力を、自動的に感知するテンション調整アームと、シャフト巻取りアクチュエータとを設け、巻取りの際、該再生紙に付与される張力に対して自動感知させることを特徴とする再生紙巻き取り装置。
【請求項２】
テンション調整アームが、抄紙用金属製ベルトから剥離された再生ロール紙を巻取りシャフトに巻き取る際、該再生ロール紙に付与する張力を自動的に感知する角度センサーを有するテンション調整アームと、再生ロール紙に付与される張力が必要以上に大きくなった際、天秤状アーム部の角度変化量を自動的に感知し、張力を一定にするよう巻取モーターを制動する角度センサーを備えたことを特徴とする請求項１記載の再生紙巻き取り装置。
【請求項３】
シャフト巻取りアクチュエータが、抄紙用金属製ベルトから剥離された再生ロール紙を巻取る一端部のみを支持し、巻き付け部に一定間隔の溝を形成し、且つ、円盤状の押し出装置を備えた巻取シャフト、巻取シャフト部に自重により再生ロール紙に付与する張力を自を押さえつける押さえアーム、巻取シャフトを覆うように、再生ロール紙を巻き込ませるよう送りガイドを３ケ所に配備した回動アームを備えたシャフト巻取りアクチュエータであるあることを特徴とする請求項１記載の再生紙巻き取り装置。
【発明の詳細な説明】
【技術分野】
【０００１】
この発明は、再生紙巻き取り装置及びその巻き取り方法に関するものであり、特に、小型の古紙再生装置において、古紙・再生紙を投入口より投入することにより、該装置内で該古紙・再生紙を、一連に処理し、最終的には、ロール状に巻き取って、これをロール状の再生紙として排出口より取り出すことのできる小型古紙再生装置において、これらの工程中で製造される再生紙を、巻き取る装置に関するものである。
【背景技術】
【０００２】
従来、官公庁や一般企業等、各種事業所の日常業務や、一般の家庭の日常生活においても使用された使用済みや不要となった各種書類等の古紙が大量に発生し、これらの古紙は塵として廃棄処分されたり、あるいは焼却されたりして廃棄処分されている。
【０００３】
また、一方、限りある地球資源の有効利用という機運の世界的な高まりの中で、近年、廃棄処分されてきた古紙を、廃棄処分することなく、再生紙に替えて再利用するための技術が開発されている。
【０００４】
しかしながら、これらの再生技術は、殆どが製紙業界において採用実施されており、その古紙再生設備には、通常の製紙設備同様、再生紙の高速大量生産と高品質化を目的として、広大な敷地、莫大な資本、また、紙抄きに使用される大量の水や薬品などが必要とされる。
【０００５】
また、古紙にあっては多くの人手による古紙回収作業が必要であり、しかもこの古紙回収には、多人数による異物混入、古紙再生紙への知識不足による分別不良、忌避品の除去不足等の問題があり、せっかく古紙を回収しても、これらの古紙を１００％、再生紙として再生するには、専門業者による再度の選別や洗浄等の作業を余儀なくされている。
【０００６】
更に、極秘文書等の古紙は、機密上の問題から古紙回収には簡単に出されることはなく、焼却処分されてしまうため、リサイクルが進んでいないというのが現状である。
【０００７】
これらの古紙回収の問題を解決するためには、古紙再生元において、事前に再生利用可能な技術の開発が有効であり、又、このような古紙・再生紙巻き取り装置を有する装置が開発され開示されている。例えば、特許文献１のように。
【０００８】
しかしながら、この技術は、文書細断屑用再生装置で使用するペーパーロールの巻取装置であり、ぺーパーロールを水等の液体噴出手段を用いて濡らし、巻き始めを巻取りやすく、また、巻き終わりを止着するために使用されるものであるが、折角乾燥させたペーパーロール紙を再度濡らすことにより、ロールの芯部は巻き終わりの部分を固着してしまうことがあり、思わしいものではなかった。
【０００９】
そして、古紙を離解して再生パルプ懸濁液とし、該懸濁液から再生紙を抄造する抄紙の巻取り機構が開示されている。例えば、特許文献２のように。
【００１０】
しかしながら、この技術も、空気を送り込むことにより、ペーパーウェブを乾燥させる構造のものであるが、その前提として液体噴出手段によって巻き付け始めのペーパーウェブを乾燥させながら巻き取るものであり、前述された技術と同様であった。
【先行技術文献】
【特許文献】
【００１１】
【特許文献１】特開２００６−２４０７５１号公報
【特許文献２】特開２０１０−１０５７５８号公報
【発明の概要】
【発明が解決しようとする課題】
【００１２】
そこで、上記課題を解決するために、この発明は、小型古紙再生装置内で製造された再生紙を、液体噴出手段、空気を送り込む手段を用いることなく、たるみや破談の発生がなく、定量的にロール状に巻き取り、且つ、排出可能に設け、且つ、搬入・搬出等の作業性や、メンテナンス性、安全性、経済性に優れた再生紙巻き取り装置を開発・提供することにある。
【課題を解決するための手段】
【００１３】
そこで、この発明は、上記の課題を解決すべく、鋭意研究を重ねた結果、本願出願人が既に開示した発明〔特開２０１２−２２９４９９号公報〕の一部を、新たに、また、具体的に開発した再生紙巻き取り装置を開発・提供するものである。
【発明の効果】
【００１４】
この発明によると、ロール紙の巻き付けに水を使用せず、機械的な構成により巻きはじめるため、ロール紙の破断が無く、しかも美麗に巻き取ることがができる等の効果を奏する。
【図面の簡単な説明】
【００１５】
【図１】この発明の一実施例を示す一部欠截正面図である。
【図２】この発明の一実施例を示す一部欠截斜視図である。
【図３】この発明の一実施例を示す要部拡大一部欠截正面図である。
【発明を実施するための形態】
【００１６】
以下、本発明について詳細に説明する。なお、本発明においては、以下の記述に限定されるものではなく、本発明の要旨を逸脱しない範囲においては適宜変更可能である。
【実施例】
【００１７】
この発明の再生紙巻取り装置の一実施例を、図１，２に基づいて詳述すると、この発明は次の構成からなるものである。即ち，ベルトローラ（１）、ベルトローラ（２）、ベルトローラ（３）をケーシング本体内に所定の間隔を隔てて平行に回転可能に軸着されており、前記ベルトローラ（１）は、乾燥室（図示せず）から送られて来た抄紙、即ち，再生紙（Ｘ）を転写した抄紙用金属ベルト（Ｙ）を巻回するベルトローラ（２）に送るものである。
【００１８】
該ベルトローラ（２）には、図１の下方に位置するよう駆動モータ（16）より駆動ベルト（２ａ）を介して動力を得て回転するものであり、且つ、該ベルトローラ（２）には、表面にスクレーパ（５）を当接しており、該スクレーパ（５）で再生紙（Ｘ）を抄紙用金属ベルト（Ｙ）から剥がし、剥がされた再生紙（Ｘ）と抄紙用金属ベルト（Ｙ）とは分岐し、抄紙用金属ベルト（Ｙ）は巻回されたベルトローラ（３）から、再度、抄紙製造工程に戻るものである。
【００１９】
前記ベルトローラ（２）には、押さえローラ部（４）が設けられており、コイルスプリングにより付勢された一対の押さえローラ（４ａ）（４ａ′）で押圧されており、抄紙（Ｘ）、並びに抄紙用金属ベルト（Ｙ）を確実に移送させるものである。
【００２０】
また、前記スクレーパ（５）の近傍には静電気を除電する除電ブラシ（１４ｂ）と、剥がされた抄紙（Ｘ）を下方に垂下するためのガイドファン（１３ａ）を設けている。
【００２１】
ベルトローラ（２）の下方には、ガイドローラ（６ａ）及び垂直ガイド（６ｂ）をそれぞれ設け、前記再生紙（Ｘ）を下方の最適な位置に降下させるよう案内するものである。
【００２２】
ガイドローラ（６）の下方には、本願発明の要部であるテンション調整アーム（７）を設けている。該アームの形状の一例を説明すると、矩形状のフレーム（７ａ）で内部が中空であり、該フレーム（７ａ）の一端部にフリーローラ（７ｂ）を設け、再生紙（Ｘ）は、該ローラと後述のテンション位置決めユニット（８）のフリーローラ（８ｃ）との間を挿通し、降下するものである。
【００２３】
さらに、前記フレーム（７ａ）の他端部には、バランス用の錘（７ｄ）を設け、該錘と前記フリーローラ（７ｂ）の重量のバランスが得られる位置に、それぞれ支軸（７ｃ）を設け、該支軸により天秤状に作動するよう構成されている。
【００２４】
前記フレーム（７ａ）の支軸（７ｃ）に角度センサー（７ｅ）を設けており、該フレームの傾斜角度を検出し、後述の巻取シャフト（10）における再生紙（Ｘ）の巻取量の変化に伴う再生紙（Ｘ）の負荷量の変化に従い、前記角度センサーが読み取る。
【００２５】
また、前記角度センサー（７ｅ）は、巻取量変化に伴う前記該フレーム（７ａ）の角度変化量を感知し、その変化量をデジタル信号により巻取シャフト（10）の駆動モータ（Ｍ）へ送信し、該モータ回転数を変化することにより巻取シャフトの回転を制御するものである。
【００２６】
前記テンション調整アーム（７）の背後には、光電管センサー（Ｓ１）を設け、前記枠体フレーム（７ａ）を通過する再生紙（Ｘ）の状態を検知するものである。
【００２７】
テンション位置決めユニット（８）は、前記テンション調整アーム（７）の下部に接触しており、その具体的な形状の一例としては、一対の全体の形状が「Ｌ」字状の一対のアーム本体（８ａ）（８ａ′）を設け、これら両アーム間のそれぞれ、一端部と角部にはそれぞれ駆動ローラ（８ｂ）とフリーローラ（８ｃ）を軸着している。
【００２８】
前記テンション位置決めユニット（８）の駆動ローラ（８ｂ）の一端部には、該ローラの駆動軸（８ｄ）を設け、該軸には位置決め用ユニットモータ（８ｅ）を設けている。
【００２９】
また、アーム本体（８ａ）（８ａ′）の他端部には、突起片（８ｆ，８ｆ′）をそれぞれ外方に向けて突設しており、後述の押えアーム（９）の両下面をそれぞれ係止し、該アーム（９）を、上方、あるいは下方に移動させるよう構成されている。
【００３０】
押えアーム（９）の具体的な形状は、一対の全体の形状が「Ｌ」字状のアーム本体（９ａ）（９ａ′）を設け、これらアーム本体間の一端部は、フリーロール（９ｂ）が軸支されており、該ロールで後述の巻取りシャフト（10）で巻き取られる再生紙（Ｘ）を自重により押さえている。
【００３１】
前記該フリーロール（９ｂ）は再生紙（Ｘ）の巻取りが進行するとともに、再生紙のロールの直径が太くなる。従って、該フリーロール（９ｂ）は徐々にロールの外側へ向けて移動するものであり、巻き取られる再生紙（Ｘ）を均一に巻き取ることにより該再生紙のたわみの発生を抑制するものである。
【００３２】
押えアーム（９）のアーム本体（９ａ）（９ａ′）間の他端部には、押えアーム軸（９ｆ）を設けており、該軸の端部にはスリット（９ｃ）を有する円板（９ｄ）を固定、即ち，軸（９ｃ）と共に回動するよう構成されている。
【００３３】
前記アーム軸（９ｃ）に固定された円板（９ｄ）も一体に回動することにより、フォトセンサー（９ｅ）を設けた位置に、スリット（９ｃ）の部分が重なることにより、該センサーの受光素子が受光素子を感知しスイッチが入り、電気信号を出力し、ベルトローラ（２）に当接しているスクレパー（５）が回動し再生紙（Ｘ）を切断するよう構成する。
【００３４】
押さえアーム（９）の下方には、巻取りシャフト（10）が設けられ、該巻取りシャフトはベルトローラ（２）からスクレパー（５）によって剥がされた再生紙（Ｘ）を巻き取るためのものであり、その一例を述べると、該シャフトを回転させる駆動源は駆動ベルト（10ａ）を介して設けた巻取りモータ（10ｂ）である。
【００３５】
巻取りシャフト部（10）のシャフト軸（11ｃ）の端部と巻取りモータ（10ｂ）の駆動ベルト（10ａ）とは、ケーシングの壁面（Ｃ）より外に位置しており、後述のシャフト巻取りアクチュエーター（11）の稼働を邪魔しないように構成されている。
【００３６】
巻取りシャフト（10）のシャフト軸（10ｃ）には、プラスチック製の筒状体で構成してあり、該筒状体の周囲に、軸方向に一定間隔置きに溝（10ｄ）を形成し、巻取りの際の摩擦の負荷や、巻取り後の押し出しの摩擦を低減を行なうものである。
【００３７】
該軸（10ｃ）のプーリ（10ｅ）側に、前記巻取りシャフト（10）の軸（10ｃ）より大径を有するリング状のロール押出し機（12）を設け、該押出し機は、前記軸（10ｃ）と同軸方向の両端にプーリ（10ｆ）（10ｆ′）を設け、これら両プーリに巻回した往復動自在の駆動ベルト（10ｇ）に固定されており、前記プーリ（10ｆ）側に駆動モータ（10ｈ）を軸着している。
【００３８】
次に、巻取りシャフト部（10）の再生紙（Ｘ）の巻取り始めを構成するシャフト巻取りアクチュエーター（11）は、図３において、その一例を詳述すると、一対の「Ｌ」字状のフレーム（11ａ），（11ａ′）を設け、両フレーム間であって、先端部に２個のローラ（11ｂ）（11ｂ′）を軸着し、中央部にも１，または２個のローラ（11ｃ）〔図３においては１個のローラを示している。〕を軸着し、フレームの末端部には、ケーシングの壁面（Ｃ）に駆動モータ（11ｄ）によって、回動可能な支軸（11ｅ）が構成されるものである。
【００３９】
前記シャフト巻取りアクチュエーター（11）は、巻取りシャフト（10）の左下方（図１，２中）に軸着されており、前記支軸（11ｅ）を支点として前記巻取りシャフトに反時計方向に回動し、巻取りアクチュエーターの前記ローラ（11ｂ，11ｂ′，11ｃ）が巻取りシャフト（10）に近接するよう構成されたものである。
【００４０】
この発明は、以上のような構成からなり、次に、このような構成を有するこの発明の作動状態を、１．巻取り準備工程の説明、２．巻取り工程の説明、３．巻取り完了後の工程の説明、とにわけて詳述すると、
１）  巻取り準備工程の説明
抄紙が開始されると、抄紙室内に位置するメッシュベルトを稼働させる抄紙ベルトモータ、抄紙ブロワーが作動する。
該メッシュベルトにより抄紙された再生紙（Ｘ）は、不織布ベルト、抄紙用金属ベルト（Ｙ）の順に転写された後、乾燥炉（図示せず）に入り１００°Ｃの温度で乾燥された後、この発明である巻き取り装置へと送り出されることにより巻取り準備工程は完了する。
【００４１】
そして巻取り工程の説明をすると、ステンレスベルトに転写された再生紙（Ｘ）は、ベルトローラ（１）に巻回され、帯状の再生紙（Ｘ）は、次に、抄紙用金属ベルト（Ｙ）及び再生紙（Ｘ）が一体として、隣接のベルトローラ（２）に巻回される。
【００４２】
前記ベルトローラ（２）には、該ローラ（２）に当接してスクレーパ（５）が取り付けられており、ベルトローラ（２）が回転することにより、抄紙（Ｘ）は抄紙ベルト（Ｙ）から剥がされる。
【００４３】
剥がされた再生紙（Ｘ）は、ベルトローラ（２）の回転と自重により下方に降下し、抄紙ベルト（Ｙ）は、ベルトローラ（３）により巻回され、別の場所に移動するか、あるいは、再度、抄紙室内に戻り抄紙工程を行い、抄造後乾燥室（図示せず）に移動し、再度、再生紙（Ｘ）を転写してエンドレスに使用される。
【００４４】
一方、スクレーパ（５）により剥がされた再生紙（Ｘ）は、ガイドローラ（６）に案内され、枠状のテンション調整アーム（７）の中を通過する。
【００４５】
該テンション調整アーム（７）には、背後に設置された第１光電管センサー（Ｓ１）を設けており、再生紙（Ｘ）の前を通過する。これにより、帯状の再生紙（Ｘ）の先端が通過したことを前記第１光電管センサー（Ｓ１）で検知し、その情報は、巻取りシャフト（10）の動力源である巻取りモータ（10ｂ）に伝達され、該巻取シャフト軸（10ｃ）が稼働し、ゆっくりと回転を始める。
【００４６】
巻取シャフト部（10）部には、再生紙（Ｘ）を巻き取る際に、近傍に押えアーム（９）が設置されており、該押えアーム（９）の一端部はケースに軸着されており、他端は、テンション位置決めユニット（８）に係合されており、通常時には、巻取シャフト部（10）とは離れて押し上げられ、それにより巻取シャフト部（10）と押えアーム（９）との間に隙間が形成され、再生紙（Ｘ）はその隙間を回転する巻取シャフト部（10）に促され通過していく。
【００４７】
そして、送り出される再生紙（Ｘ）は、さらに下方に降下し、第２光電管センサー（Ｓ２）を通過する。該センサーにはタイマー（Ｔ２）が連動しており、該タイマーで任意設定時間経過後、テンション位置決めユニット（８）が反時計回りに回動し、所定位置にて止まるよう構成されている。
【００４８】
この動作により連続して降下する再生紙（Ｘ）は上方に引き上げられ、テンション調整アーム（７）に接触し、該テンション調整アームに負荷がかかる。
【００４９】
その後、シャフト巻取りアクチュエーター（11）は、一端部の支軸（11ｅ）を支点として反時計回りに巻取シャフト部（10）を取り巻くように回動し、他端に設けたローラ（11ｂ，11ｂ′）で巻取りシャフト部（10）に当接して巻かれる再生紙（Ｘ）が撓まないよう押さえる。
【００５０】
これにより再生紙（Ｘ）先端部は、後続する再生紙（Ｘ）と回転する巻取シャフト部（10）との間に巻き込まれ、該巻取シャフト軸（10ｃ）に巻きついていく。
【００５１】
第２光電管センサー（Ｓ２）のタイマー（Ｔ２）により、設定時間経過後、役目を終えたシャフト巻取りアクチュエーター（11）は、時計回りに回動し、巻取シャフト部（10）から離れ、所定位置にて停止する。
【００５２】
２）  巻き取り工程
再生紙（Ｘ）は巻取りモータ（10ｂ）が回転することにより巻取シャフト（10）へロール状に巻き取られる。この際、テンション位置決めユニット（８）とテンション調整アーム（７）とにより、再生紙（Ｘ）に負担がかかることで撓みが生ずることなく巻取シャフト部（10）に巻かれていく。
【００５３】
巻き取りに必要な紙の負荷量はテンション調整アーム（７）に取り付けられた錘の荷重により予め与えられている。
【００５４】
巻き取りが進行することでロール直径は大きくなっていく。巻き取られる紙の長さは、回転量が一定であるとロール直径が大きくなるにつれて多くなる。しかし、抄紙ベルト（Ｙ）の送り速度も一定であるため、巻き取り長さが抄紙ベルト（Ｙ）から送り出される紙の供給量を超えると紙は破断する。
【００５５】
テンション調整アーム（７）は、自由回転するように取り付けられており、紙ロール直径が大きくなり、巻き取り量が増えることにより、紙の張りが大きくなると反時計回りに回動する。
【００５６】
また、テンション調整アーム（７）は、角度センサー（７）が取り付けられており、該角度センサーは巻取シャフト（10）の巻取モーター（10ｂ）に連動している。
【００５７】
テンション調整アーム（７）が回動し、角度が変化すると角度センサー（７）はその角度変化量に応じたデジタル信号を巻取モーター（10ｂ）に流し、それによりモーター回転量を制御する。
【００５８】
これにより、ロール直径が大きくなり、紙の巻取量が大きくなっても、紙の巻取に適した張りを安定して供給することができる。
【００５９】
３）  巻き取り完了
押えアーム（９）にはフォトセンサー（９ｅ）とスリット（９ｃ）入りの円板（９ｄ）が取付けられており、巻取りが進行するとロールの直径が大きくなり、該押えアーム（９）は徐々にロールの外側へ移動する。それに従い、円板（９ｄ）も回動し、該円板のスリット（９ｃ）が、フォトセンサー（９ｅ）に入ると、ベルトローラ（２）で抄紙と抄紙ベルト（Ｙ）に付近に取付けられたスクレーパ（５）が回動し、抄紙された再生紙（Ｘ）を剥離することで再生紙（Ｘ）が切断される。
【００６０】
剥離される手前の紙切断部は、乾燥炉を通過し、スクレーパ（５）にて剥離された後、第１光電管センサー（Ｓ１）の前を通過する。
【００６１】
切断部通過後，第１光電管センサー（Ｓ１）は再生紙（Ｘ）がないと認識し、通過後任意設定時間経過後、タイマー（Ｔ１）によって押し出し機モーター（Ｍ）とテンション位置決めユニット（８）が稼働する。
【００６２】
また、押出し機モータ（Ｍ）にはアクチュエーター（11）とドーナツ状のロール押出し機（12）が巻取りシャフト（10）に貫通されるように取付けられ、モータ（Ｍ）が動くことにより押し出し機（12）が巻取りシャフト部（10）外周を横方向にスライドし、巻き付けた再生紙（Ｘ）のロールを巻取りシャフト部（10）より押し出す。
【００６３】
そして、押し出した方向には接近センサー（15）が組み込まれており、押出し機（12））が近接センサー（15）へ接近すると、押出し機モーター（10ｂ）は逆回転し、該押出し機を所定位置に戻す。
【００６４】
テンション位置決めユニット（８）は、時計回りに回動し、取り付けられた突起片（８ｆ，８ｆ′）により押えアーム（９）を、巻取りシャフト部（10）より離れた位置まで押し上げ、所定位置で停止するものである。
【００６５】
そして本願発明の巻取装置は、ベルトローラ（１）に巻回された抄紙ベルト（Ｙ）に抄造された帯状の再生紙（Ｘ）は、次に、抄紙ベルト（Ｙ）及び再生紙（Ｘ）が一体としてベルトローラ（２）に巻回され、該ベルトローラ（２）に当接してスクレーパ（５）が取り付けられており、抄紙（Ｘ）を抄紙ベルト（Ｙ）から剥がし、再生紙（Ｘ）は下方に、抄紙ベルト（Ｙ）は、ベルトローラ（３）により巻回され、別の場所に移動するか、あるいは、再度、抄紙工程に戻り、抄造後エンドレスに巻回して使用される。
【００６６】
スクレーパ（５）により剥がされた再生紙（Ｘ）は、フレーム状のテンション調整アーム（７）の中を通過した際、該アーム（７）の背後に設置された第１光電管センサー（Ｓ１）の前を通過する。これにより、帯状の再生紙（Ｘ）の先端が通過したことを検知し、その情報は、巻取りモータ（16ｂ）に知らされ、巻取シャフト部（10）の巻取シャフトシャフト軸（10ｃ）が稼働してゆっくりと回転を始める。
【００６７】
巻取シャフト（10）には、再生紙（Ｘ）を巻き取るために、近傍に押えアーム（９）が設置されており、該押えアームにはテンション位置決めユニット（８）により巻取シャフト部（10）とは逆側に押し上げられ、それにより巻取シャフト部（10）と押えアーム（９）との間に隙間が形成され、再生紙（Ｘ）はその隙間を回転する巻取シャフト部（10）に促され通過していく。
【００６８】
そして、送り出される再生紙（Ｘ）は、さらに下方に降下し、第２光電管センサー（Ｓ２）を通過する。該センサーにはタイマー（Ｔ１）が連動しており、該タイマーで任意設定時間経過後、テンション位置決めユニット（８）が反時計回りに回動し、所定位置にて止まるよう構成されている。
【００６９】
この動作により再生紙（Ｘ）は上方に引き上げられ、テンション調整アーム（７）に接触し、該テンション調整アームに負荷がかかる。
【００７０】
その後、シャフト巻取りアクチュエーター（11）は、反時計回りに巻取シャフト（10）を取り巻くように回動する。
【００７１】
これにより再生紙（Ｘ）先端部は、後続する再生紙（Ｘ）と回転する巻取シャフト部（10）との間に巻き込まれ、該巻取シャフト軸（10ｃ）に巻きついていく。
【００７２】
第２光電管センサー（Ｓ２）のタイマー（Ｔ２）で設定時間経過後、役目を終えたシャフト巻取りアクチュエーター（11）は、時計回りに回動し、巻取シャフト部（10）から離れ、所定位置にて停止する。
【００７３】
２）  巻き取り工程
再生紙（Ｘ）は巻取りモーター（10ｂ）が回転することにより巻取シャフト部（10）へロール状に巻き取られる。この際、テンション位置決めユニット（８）とテンション調整アーム（７）とにより、再生紙（Ｘ）に負担がかかることで撓みが生ずることなく巻取シャフト部（10）に巻かれていくものである。
【００７４】
巻き取りに必要な紙の負荷量はテンション調整アーム（７）に取り付けられた錘（７ｄ）の荷重により予め与えられている。
【００７５】
巻き取りが進行することでロール直径は大きくなっていく。巻き取られる紙の長さは、回転量が一定であるとロール直径が大きくなるにつれて多くなる。しかし、抄紙ベルト（Ｙ）の送り速度も一定であるため、巻き取り長さが抄紙ベルト（Ｙ）から送り出される紙の供給量を超えると紙は破談する。
【００７６】
テンション調整アーム（７）は、自由回転するように取り付けられており、紙ロール直径が大きくなり、巻き取り量が増えることにより、紙の張りが大きくなると反時計回りに回動する。
【００７７】
また、テンション調整アーム（７）には、角度センサー（７ｅ）が取り付けられており、該角度センサーは巻取シャフト部（10）の巻取モーター（10ｂ）に連動している。
【００７８】
テンション調整アーム（７）が回動し、角度が変化すると角度センサー（７）はその角度変化量に応じたデジタル信号を巻取モーター（10ｂ）に流し、それによりモーター回転量を制御する。
【００７９】
これにより、ロール直径が大きくなり、紙の巻取量が大きくなっても、紙の巻取に適した張りを安定して供給している。
【００８０】
３）  巻き取り完了
押えアーム（９）にはフォトセンサー（９ｅ）とスリット（９ｃ）入りの円板（９ｄ）が取付けられており、巻取りが進行するとロールの直径が大きくなり、該押えアームは徐々にロールの外側へ回動する。それに従い円板も回動し、円板のスリットが、フォトセンサー（９ｅ）に入ると抄紙用金属ベルト（Ｙ）に当接するよう取付けられたスクレーパ（５）が回動し、抄紙された再生紙（Ｘ）を剥離することで再生紙（Ｘ）が切断される。
【００８１】
剥離される手前の紙切断部は、乾燥炉を通過し、スクレーパ（５）にて剥離された後、第１光電管センサー（Ｓ１）の前を通過する。
【００８２】
切断部通過後，第１光電管センサー（Ｓ１）は再生紙（Ｘ）がないと認識し、通過後任意設定時間経過後、タイマー（Ｔ１）によって押し出し機モーター（10ｈ）とテンション位置決めユニット（８）が稼働する。
【００８３】
また、押出し機モータ（10ｈ）にはアクチュエーター（11）とドーナツ状のロール押出し機（12）が巻取りシャフト（10）に貫通されるように取付けられ、モーターが動くことにより押し出し機が巻取りシャフト外周を横スライドし巻き付けた紙（Ｘ）を巻取りシャフトより押し出す。
【００８４】
そして、押し出した方向には接近センサー（15）が組み込まれており、ロール押出し機（12））が近接センサー（15）へ接近すると、該押出し機（12）の駆動モーター（10ｈ）は逆回転し、該押出し機を所定位置に戻す。
【００８５】
テンション位置決めユニット（８）は、時計回りに回動し、取り付けられた突起片（８ｆ，８ｆ′）により押えアーム（９）を巻取りシャフト（10）と逆側に押し上げ、所定位置で停止するものである。
【産業上の利用可能性】
【００８６】
この発明によると、再生紙巻き取り装置の技術を確立し、その確立された技術に基づいて、製造・販売することにより、産業上の利用可能性があるものである。
【符号の説明】
【００８７】
１  ベルトローラ
２  ベルトローラ
２ａ  駆動ベルト
３  ベルトローラ
４  押さえローラ
４ａ，４ａ′  押さえローラ
５  スクレーパ
６ａ  ガイドローラ
６ｂ  垂直ガイド
７  テンション調整アーム
７ａ  矩形状のフレーム
７ｂ，７ｂ′  フリーローラ
７ｃ  支軸
７ｄ  錘
７ｅ  角度センサー
８    テンション位置決めユニット
８ａ，８ａ′アーム本体
８ｂ，駆動ローラ
８ｃ  フリーローラ
８ｄ  駆動軸
８ｅ  位置決め用ユニットモータ
８ｆ，８ｆ′突起
９  押えアーム
９ａ，９ａ′アーム本体
９ｂ，フリーロール
９ｃ  スリット
９ｄ  円板
９ｅ  フォトセンサー
９ｆ  押えアーム軸
１０  巻取シャフト部
１０ａ  駆動ベルト
１０ｂ  巻取りモータ
１０ｃ  巻取りシャフト軸
１０ｄ  溝
１０ｅ  プーリー
１０ｆ，１０ｆ′プーリー
１０ｇ  駆動ベルト
１０ｈ  駆動モータ
１１  シャフト巻取りアクチュエーター
１１ａ，１１ａ′  フレーム
１１ｃ  ローラ
１１ｄ  駆動モータ
１１ｅ  支軸
１２  ロール押出し機
１３ａ  ガイドファン
１４ｂ  除電ブラシ
１５  近接センサー
Ｃ  ケーシングの壁面
Ｓ１  第１光電管センサー
Ｓ２  第２光電管センサー
Ｔ１  タイマー
Ｔ２  タイマー
Ｍ  押出し機モータ
Ｘ  再生紙
Ｙ  抄紙用金属ベルト
【図１】
2014227252.tif 000003
【図２】
2014227252.tif 000004
【図３】
2014227252.tif 000005